【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
映像のコンテンツデータを記録する記録部と、
前記記録部に記録されているコンテンツデータのジャンル、及び、前記記録部に記録されているコンテンツデータの映像が表示された際の画面サイズ、を含むコンテンツ管理設定情報を記憶する記憶部と、
前記記録部に記録予定のコンテンツデータのデータ量が、前記記録部の残容量以上であるか否かを判断し、当該データ量が当該残容量以上であると判断した場合に、前記コンテンツ管理設定情報を参照して、前記記録部に記録されているコンテンツデータの内、特定のジャンルのコンテンツデータの画面サイズを小さくすることで、前記記録部に記録されているコンテンツデータのデータ量を削減し、前記記録部の残容量を増やす制御部と、を備え、
前記制御部は、前記コンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを前記特定のジャンルとすること
を特徴とする映像情報処理装置。
【請求項２】
映像のコンテンツデータを記録する記録部と、
表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、
前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータの内、特定のジャンルのコンテンツデータの画面サイズを小さくする第３の削減方法から、前記記録部の残容量を増やすために採用する少なくとも１つの削減方法の選択を受け付ける入力部と、
前記記録部に記録予定のコンテンツデータのデータ量が、前記記録部の残容量以上であるか否かを判断し、当該データ量が当該残容量以上であると判断した場合に、前記入力部で選択された削減方法を実行することで、前記記録部に記録されているコンテンツデータのデータ量を削減し、前記記録部の残容量を増やす制御部と、を備えること
を特徴とする映像情報処理装置。
【請求項３】
映像のコンテンツデータを記録する記録部と、
表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、
前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータ内、特定のジャンルのコンテンツデータの画面サイズを小さくする第３の削減方法から、前記記録部の残容量を増やすために採用する２つ以上の削減方法の選択と、当該採用された削減方法を実行する順番を示す優先順位の入力と、を受け付ける入力部と、
前記記録部に記録予定のコンテンツデータのデータ量が、前記記録部の残容量以上であるか否かを判断し、当該データ量が当該残容量以上であると判断した場合に、前記記録部に記録予定のコンテンツのデータ量が前記記録部の残容量以下となるまで、前記入力部に入力された優先順位で示される順番で、前記入力部で選択された削減方法を実行することで、前記記録部に記録されているコンテンツデータのデータ量を削減し、前記記録部の残容量を増やす制御部と、を備えること
を特徴とする映像情報処理装置。
【請求項４】
前記制御部は、前記記録部に翌日記録予定のコンテンツデータのデータ量が、前記記録部の残容量以上であるか否かを判断すること
を特徴とする請求項１から３の何れか一項に記載の映像情報処理装置。
【請求項５】
記録予定の映像のコンテンツデータのデータ量が、当該コンテンツデータを記録する記録部の残容量以上であるか否かを判断し、
前記データ量が前記残容量以上であると判断した場合に、前記記録部に記録されているコンテンツデータのジャンル、及び、前記記録部に記録されているコンテンツデータの映像が表示された際の画面サイズ、を含むコンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを特定のジャンルとし、
前記コンテンツ管理設定情報を参照して、前記記録部に記録されているコンテンツデータの内、前記特定のジャンルのコンテンツデータの画面サイズを小さくすることで、前記記録部に記録されているコンテンツデータのデータ量を削減し、前記記録部の残容量を増やすこと
を特徴とする映像情報処理方法。
【手続補正２】
【補正対象書類名】明細書
【補正対象項目名】０００７
【補正方法】変更
【補正の内容】
【０００７】
本発明の第１の態様に係る映像情報処理装置は、映像のコンテンツデータを記録する記録部と、前記記録部に記録されているコンテンツデータのジャンル、及び、前記記録部に記録されているコンテンツデータの映像が表示された際の画面サイズ、を含むコンテンツ管理設定情報を記憶する記憶部と、前記記録部に記録予定のコンテンツデータのデータ量が、前記記録部の残容量以上であるか否かを判断し、当該データ量が当該残容量以上であると判断した場合に、前記コンテンツ管理設定情報を参照して、前記記録部に記録されているコンテンツデータの内、特定のジャンルのコンテンツデータの画面サイズを小さくすることで、前記記録部に記録されているコンテンツデータのデータ量を削減し、前記記録部の残容量を増やす制御部と、を備え、前記制御部は、前記コンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを前記特定のジャンルとすることを特徴とする。
本発明の第２の態様に係る映像情報処理装置は、映像のコンテンツデータを記録する記録部と、表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータの内、特定のジャンルのコンテンツデータの画面サイズを小さくする第３の削減方法から、前記記録部の残容量を増やすために採用する少なくとも１つの削減方法の選択を受け付ける入力部と、前記記録部に記録予定のコンテンツデータのデータ量が、前記記録部の残容量以上であるか否かを判断し、当該データ量が当該残容量以上であると判断した場合に、前記入力部で選択された削減方法を実行することで、前記記録部に記録されているコンテンツデータのデータ量を削減し、前記記録部の残容量を増やす制御部と、を備えることを特徴とする。
本発明の第３の態様に係る映像情報処理装置は、映像のコンテンツデータを記録する記録部と、表示装置の画素数、前記記録部に記録されているコンテンツデータの画素数、前記記録部に記録されているコンテンツデータのダビング履歴、及び、前記記録部に記録されているコンテンツデータのジャンルを含むコンテンツ管理設定情報を記憶する記憶部と、前記コンテンツ管理設定情報を参照して、前記記録部に記録されているコンテンツデータの内、前記表示装置の画素数よりも大きい画素数を有するコンテンツデータの画素数を減らす第１の削減方法、前記コンテンツ管理設定情報を参照して、前記記録部に記録されているコンテンツデータの内、ダビングが行われたコンテンツデータを圧縮する第２の削減方法、及び、前記コンテンツ管理設定情報を参照して、前記記録部に記録されているコンテンツデータ内、特定のジャンルのコンテンツデータの画面サイズを小さくする第３の削減方法から、前記記録部の残容量を増やすために採用する２つ以上の削減方法の選択と、当該採用された削減方法を実行する順番を示す優先順位の入力と、を受け付ける入力部と、前記記録部に記録予定のコンテンツデータのデータ量が、前記記録部の残容量以上であるか否かを判断し、当該データ量が当該残容量以上であると判断した場合に、前記記録部に記録予定のコンテンツのデータ量が前記記録部の残容量以下となるまで、前記入力部に入力された優先順位で示される順番で、前記入力部で選択された削減方法を実行することで、前記記録部に記録されているコンテンツデータのデータ量を削減し、前記記録部の残容量を増やす制御部と、を備えることを特徴とする。
【手続補正３】
【補正対象書類名】明細書
【補正対象項目名】０００８
【補正方法】変更
【補正の内容】
【０００８】
本発明の一態様に係る映像情報処理方法は、記録予定の映像のコンテンツデータのデータ量が、当該コンテンツデータを記録する記録部の残容量以上であるか否かを判断し、前記データ量が前記残容量以上であると判断した場合に、前記記録部に記録されているコンテンツデータのジャンル、及び、前記記録部に記録されているコンテンツデータの映像が表示された際の画面サイズ、を含むコンテンツ管理設定情報を参照して、前記ジャンル毎に、前記記録部に記録されているコンテンツデータの画面サイズよりも小さい画面サイズで視聴されている割合を算出し、当該算出された割合が予め定められた閾値よりも高いジャンルを特定のジャンルとし、前記コンテンツ管理設定情報を参照して、前記記録部に記録されているコンテンツデータの内、前記特定のジャンルのコンテンツデータの画面サイズを小さくすることで、前記記録部に記録されているコンテンツデータのデータ量を削減し、前記記録部の残容量を増やすことを特徴とする。
【手続補正４】
【補正対象書類名】明細書
【補正対象項目名】００３５
【補正方法】変更
【補正の内容】
【００３５】
図１に戻り、ローカルバス１１５は、データの伝送路である。
表示装置１４０は、映像情報処理装置１００から与えられた映像信号に基づいて映像を出力するディスプレイ及び映像情報処理装置１００から与えられた音声信号に基づいて音声を出力するスピーカを備える。
ここで、映像情報処理装置１００は、アンテナ１３０又は表示装置１４０を含み、物理的に一体に構成されていてもよい。
また、ネットワーク１５０上のコンテンツとしては、ＨＴＭＬ（Ｈｙｐｅｒ  Ｔｅｘｔ  Ｍａｒｋｕｐ  Ｌａｎｇｕａｇｅ）コンテンツ等のＷｅｂコンテンツ、又は、ユーチューブ（ＹｏｕＴｕｂｅ（登録商標））等のネットワークストリーミングコンテンツ等がある。